(57)【要約】【課題】光学収差の変動を抑制する。【解決手段】本発明の光ピックアップ装置は、光源から出力される光を略平行光にするコリメートレンズと、略平行光を情報媒体へ集光させる集光レンズと、集光レンズの位置を変化させる駆動部と、コリメートレンズに設けられた熱伝導部材とを備える。駆動部は、集光レンズの位置を変化させるコイル部および磁石を備え、熱伝導部材の少なくとも一部は、コリメートレンズのコイル部側に設けられている。また、熱伝導部材の少なくとも一部は、コリメートレンズのうちの光源を駆動する駆動部側に設けられている。【選択図】図１
2007234069.tif 000002
【特許請求の範囲】
【請求項１】
光源から出力される光を略平行光にするコリメートレンズと、
前記略平行光を情報媒体へ集光させる集光レンズと、
前記集光レンズの位置を変化させる駆動部と、
前記コリメートレンズに設けられた熱伝導部材と
を備えた、光ピックアップ装置。
【請求項２】
前記駆動部は、前記集光レンズの位置を変化させるコイル部および磁石を備え、
前記熱伝導部材の少なくとも一部は、前記コリメートレンズの前記コイル部側に設けられている、請求項１に記載の光ピックアップ装置。
【請求項３】
前記熱伝導部材は、前記コリメートレンズの外周部全体に設けられている、請求項１または２に記載の光ピックアップ装置。
【請求項４】
前記熱伝導部材の熱伝導率は、前記コリメートレンズの熱伝導率よりも高い、請求項１から３のいずれかに記載の光ピックアップ装置。
【請求項５】
前記熱伝導部材の熱伝導率は約１Ｗ／（ｍ・Ｋ）以上である、請求項１から４のいずれかに記載の光ピックアップ装置。
【請求項６】
前記コリメートレンズを摺動させる摺動部をさらに備える、請求項１から５のいずれかに記載の光ピックアップ装置。
【請求項７】
請求項１から６のいずれかに記載の光ピックアップ装置と、
前記情報媒体を回転させるモーターと、
前記駆動部を制御するための制御部と
を備えた、光ディスク装置。
【請求項８】
光を出力する光源と、
前記光源から出力された前記光を略平行光にするコリメートレンズと、
前記略平行光を情報媒体へ集光させる集光レンズと、
前記光源を駆動する駆動部と、
前記コリメートレンズに設けられた熱伝導部材と
を備えた、光ピックアップ装置。
【請求項９】
前記熱伝導部材の少なくとも一部は、前記コリメートレンズの前記駆動部側に設けられている、請求項８に記載の光ピックアップ装置。
【請求項１０】
前記熱伝導部材は、前記コリメートレンズの外周部全体に設けられている、請求項８または９に記載の光ピックアップ装置。
【請求項１１】
前記熱伝導部材の熱伝導率は、前記コリメートレンズの熱伝導率よりも高い、請求項８から１０のいずれかに記載の光ピックアップ装置。
【請求項１２】
前記熱伝導部材の熱伝導率は約１Ｗ／（ｍ・Ｋ）以上である、請求項８から１１のいずれかに記載の光ピックアップ装置。
【請求項１３】
前記コリメートレンズを摺動させる摺動部をさらに備える、請求項８から１２のいずれかに記載の光ピックアップ装置。
【請求項１４】
請求項８から１３のいずれかに記載の光ピックアップ装置と、
前記情報媒体を回転させるモーターと、
前記駆動部を制御するための制御部と
を備えた、光ディスク装置。
【発明の詳細な説明】
【技術分野】
【０００１】
本発明は、データの光学的な記録および／または再生を行うための光ピックアップ装置、およびその光ピックアップ装置を搭載した光ディスク装置に関する。
【背景技術】
【０００２】
光ディスク装置には、情報媒体である光ディスク媒体に対するデータの光学的な記録再生を行うための光ピックアップ装置が搭載されている。光ピックアップ装置は、レーザ光を出力する光源と、レーザ光を光ディスク媒体へ照射するための光学系とを備えている。このような光ピックアップ装置では、レーザ光源から出力されたレーザ光によって光学系の温度が上昇し、光学系が備える各光学素子が熱膨張または熱収縮することにより光学収差が発生するという問題がある。
【０００３】
このような問題を解決するために、特許文献１に開示される光ピックアップ装置では、光ピックアップ装置内部で発生する２種類の非点収差を互いに大きさが等しくかつ極性が逆であるものにすることにより光学収差を補正している。
【０００４】
図８は、特許文献１に開示される光ピックアップ装置１１１を模式的に示す図である。
【０００５】
図８を参照して、光源１０１から出力されたレーザ光１０１ａは、コリメートレンズ１０２によって集光されて略平行光１０１ｂにされる。コリメートレンズ１０２を通過したレーザ光１０１ａは、ビーム整形素子１１２に入射して整形される。ビーム整形素子１１２を通過した通過光１０１ｃは、支持部材１０９に固定されたミラー１０３で反射され、反射光１０１ｄは対物レンズ１０４によって集光されて光ディスク媒体１１０に照射される。
【０００６】
このとき、温度変化によりミラー１０３および支持部材１０９に変形が生じ、ミラー１０３と支持部材１０９との間の線膨張係数の差により第１の非点収差が発生する。また、光源１０１とコリメートレンズ１０２とを備える光学ベース１０８の温度変化による熱膨張または熱収縮によって、光源１０１の発光点１０１Ａとコリメートレンズ１０２の主点１０２Ｂとの間の光路長が変化するとともに、コリメートレンズ１０２の焦点位置が変化する。これら光路長の変化量と焦点位置の変化量との差により生じる位相分布を有する略平行光１０１ｂが、ビーム整形素子１１２を通過することで第２の非点収差が発生する。
【０００７】
特許文献１に開示される光ピックアップ装置１１１では、これら第１の非点収差と第２の非点収差とが互いに大きさが等しくかつ極性が逆であるものにすることにより光学収差を補正している。
【特許文献１】特開２００４−２８１０３３号公報（段落番号００５２〜００６１、図１）
【発明の開示】
【発明が解決しようとする課題】
【０００８】
対物レンズ１０４は、集光レンズ駆動部１１３のレンズ保持部１０５によって支持され、コイル部１０６および磁石１０７によって駆動させられる。光スポットを光ディスク媒体１１０の所望のトラックに追従させるとき、対物レンズ１０４の位置を変化させるためにコイル部１０６に通電し、コイル部１０６は発熱する。通電によりコイル部１０６から発生した熱は伝導してコリメートレンズ１０２に達する。この熱は、コリメートレンズ１０２のコイル部１０６側から伝導するため、コリメートレンズ１０２全体に均一に伝導せずに局所的に熱が伝わる偏熱伝導となる。このため、コリメートレンズ１０２が局所的に熱膨張または熱収縮し、このようなコリメートレンズ１０２の局所的な変形に起因した非点収差が発生するという問題がある。
【０００９】
一般に光ピックアップ装置の光学系に非点収差が発生すると、光ディスク媒体上に形成される集光スポットにひずみが生じ、データの記録再生品質やアドレス信号等の再生品質が劣化する。また、集光点でのディフォーカス（集光点位置と光ディスク媒体との光軸方向の乖離）が生じると、トラック方向およびそれに直交する方向に集光スポット形状が伸びる非点収差が発生する。これらの非点収差は、隣接トラックに影響を与えたり、トラック方向の信号分解能を低下させたりするため、光ピックアップ装置の性能に与える影響が大きい。特に、記録密度が高いＤＶＤ（Ｄｉｇｉｔａｌ  Ｖｅｒｓａｔｉｌｅ  Ｄｉｓｃ）等に対するデータの記録再生に用いられる光ピックアップ装置では、温度変化による非点収差の許容される変動は０．００λから±０．０１０λときわめて厳しくなっている。
【００１０】
光ピックアップ装置の組立工程では、室温での初期状態で各光学素子の非点収差が抑えられた最良の状態になるように、光ピックアップ装置に光学系が組み込まれている。しかしながら、上述したように、コイル部１０６（図８）が発熱して、光学系の温度が変化した場合には、光学系の状態は非点収差を抑えた最良の状態からずれてしまう。
【００１１】
図９は、コイル部１０６への通電量を増加させていった場合の集光スポットの非点収差変動を示している。横軸は消費電力、縦軸は３次の非点収差の変動量である。コイル部１０６に通電すると熱が発生し、コリメートレンズ１０２に偏熱伝導して非点収差が発生する。図７に示す例では、コイル部１０６の定格消費電力０．３Ｗの通電状態で、非点収差の変動量は０．０２０λになっており、安定した記録再生動作の維持は困難である。
【００１２】
また、光ピックアップ装置を小型軽量化および薄型化すると、コイル部１０６はコリメートレンズ１０２の近傍に配置せざるを得ず、コリメートレンズ１０２が熱の影響をさらに受けやすくなることで非点収差の変動が大きくなるという問題がある。
【００１３】
本発明は、上記問題に鑑みてなされたものであり、その目的は、光学収差の変動を抑制した光ピックアップ装置、およびその光ピックアップ装置を搭載した光ディスク装置を提供することにある。
【課題を解決するための手段】
【００１４】
本発明の光ピックアップ装置は、光源から出力される光を略平行光にするコリメートレンズと、前記略平行光を情報媒体へ集光させる集光レンズと、前記集光レンズの位置を変化させる駆動部と、前記コリメートレンズに設けられた熱伝導部材とを備えることを特徴とする。
【００１５】
ある実施形態によれば、前記駆動部は、前記集光レンズの位置を変化させるコイル部および磁石を備え、前記熱伝導部材の少なくとも一部は、前記コリメートレンズの前記コイル部側に設けられている。
【００１６】
ある実施形態によれば、前記熱伝導部材は、前記コリメートレンズの外周部全体に設けられている。
【００１７】
ある実施形態によれば、前記熱伝導部材の熱伝導率は、前記コリメートレンズの熱伝導率よりも高い。
【００１８】
ある実施形態によれば、前記熱伝導部材の熱伝導率は約１Ｗ／（ｍ・Ｋ）以上である。
【００１９】
ある実施形態によれば、前記コリメートレンズを摺動させる摺動部をさらに備える。
【００２０】
本発明の光ディスク装置は、上記光ピックアップ装置と、前記情報媒体を回転させるモーターと、前記駆動部を制御するための制御部とを備えることを特徴とする。
【００２１】
本発明の光ピックアップ装置は、光を出力する光源と、前記光源から出力された前記光を略平行光にするコリメートレンズと、前記略平行光を情報媒体へ集光させる集光レンズと、前記光源を駆動する駆動部と、前記コリメートレンズに設けられた熱伝導部材とを備えることを特徴とする。
【００２２】
ある実施形態によれば、前記熱伝導部材の少なくとも一部は、前記コリメートレンズの前記駆動部側に設けられている。
【００２３】
ある実施形態によれば、前記熱伝導部材は、前記コリメートレンズの外周部全体に設けられている。
【００２４】
ある実施形態によれば、前記熱伝導部材の熱伝導率は、前記コリメートレンズの熱伝導率よりも高い。
【００２５】
ある実施形態によれば、前記熱伝導部材の熱伝導率は約１Ｗ／（ｍ・Ｋ）以上である。
【００２６】
ある実施形態によれば、前記コリメートレンズを摺動させる摺動部をさらに備える。
【００２７】
本発明の光ディスク装置は、上記光ピックアップ装置と、前記情報媒体を回転させるモーターと、前記駆動部を制御するための制御部とを備えることを特徴とする。
【発明の効果】
【００２８】
本発明によれば、コリメートレンズに熱伝導部材が設けられている。集光レンズの位置を変化させる駆動部および／または光源を駆動する駆動部から発生する熱を熱伝導部材を介してコリメートレンズに伝導させることにより、偏熱伝導を抑制することができる。これにより、コリメートレンズの局所的な変形を防止し、光ピックアップ装置の光学収差の変動を抑制することができるので、安定した記録再生動作を実現することができる。また、それらの駆動部とコリメートレンズとを接近させて配置することが可能となるので、光ピックアップ装置の小型軽量化および薄型化を実現することができる。
【発明を実施するための最良の形態】
【００２９】
以下、図面を参照しながら本発明の実施形態を説明する。
【００３０】
（実施形態１）
まず、図１を参照して、本発明による光ピックアップ装置の第１の実施形態を説明する。図１は、本実施形態の光ピックアップ装置１００を模式的に示す図である。光ピックアップ装置１００は、データの光学的な記録および／または再生を行うための光ディスク装置（図示せず）に搭載される。
【００３１】
光ピックアップ装置１００は、レーザ光１ａを出力する光源１と、レーザ光１ａを集光して略平行光１ｂにするコリメートレンズ２と、略平行光１ｂを反射させるミラー３と、ミラー３で反射した略平行光１ｂを光ディスク媒体１０へ集光させる集光レンズ４と、集光レンズ４の位置を変化させる集光レンズ駆動部１１と、コリメートレンズ２に設けられた熱伝導部材９とを備える。光ピックアップ装置１００は、上述した各構成要素が納められる光学ベース８をさらに備える。光ディスク媒体１０は、所望のデータの記録および／または再生を行うための情報媒体である。
【００３２】
光源１は例えば半導体レーザ素子である。レーザ光１ａは、例えば、赤色と呼ばれる中心波長が６６０ｎｍのレーザ光、赤外と呼ばれる中心波長が７９０ｎｍのレーザ光、青色と呼ばれる中心波長が４０５ｎｍのレーザ光の何れかである。集光レンズ４は例えば対物レンズである。
【００３３】
集光レンズ駆動部１１は、光ディスク媒体１０の所望のトラックに光スポットが追従するように、集光レンズ４の位置を変化させる。集光レンズ駆動部１１は、集光レンズ４を保持するレンズ保持部５と、集光レンズ４の位置を変化させるコイル部６および磁石７とを備える。集光レンズ４と同様にコイル部６もレンズ保持部５に保持されている。コイル部６と、コイル部６に対向して配置された磁石７とで磁気回路が構成されている。駆動回路（図示せず）からコイル部６に通電されたときにコイル部６と磁石７との間に発生する力により、集光レンズ４の位置が変化する。
【００３４】
光源１、コリメートレンズ２、ミラー３、集光レンズ駆動部１１のそれぞれは、光学的に最適となるように調整されて光学ベース８に固定されている。
【００３５】
熱伝導部材９は、例えばシリコン系シートやカーボングラファイト系シート等の樹脂材料で形成されており、コリメートレンズ２の外周部の一部に取り付けられている。熱伝導部材９の少なくとも一部は、コリメートレンズ２のコイル部６側に設けられている。熱伝導部材９の熱伝導率は、コリメートレンズ２の熱伝導率よりも高い。熱伝導部材９の熱伝導率は１Ｗ／（ｍ・Ｋ）以上であることが好ましい。
【００３６】
熱伝導部材９の材料としては、例えば、熱伝導率が１〜３Ｗ／（ｍ・Ｋ）である室温硬化性シリコン系グリスや、熱伝導率が１〜５Ｗ／（ｍ・Ｋ）である２液付加反応性シリコン系グリス、熱伝導率が１〜５Ｗ／（ｍ・Ｋ）である光硬化性シリコン系接着剤、熱伝導率が１〜３０Ｗ／（ｍ・Ｋ）であるシリコン系シートが挙げられる。また、例えば、熱伝導部材９の材料としては、熱伝導率が１００〜３００Ｗ／（ｍ・Ｋ）であるアルミニウム系材料であってもよく、さらに熱伝導率が３００〜８００Ｗ／（ｍ・Ｋ）と非常に高いカーボングラファイト系シートであればより好ましい。
【００３７】
なお、図示はしていないが、熱伝導部材９は、光学ベース８にも設けられている。
【００３８】
次に、光ピックアップ装置１００の動作をより詳細に説明する。
【００３９】
光源１から出力されたレーザ光１ａは、コリメートレンズ２によって集光され略平行光１ｂにされる。コリメートレンズ２を通過した略平行光１ｂはミラー３で反射され、集光レンズ４によって集光されて光ディスク媒体１０に照射される。光ディスク媒体１０上に形成された集光スポットを光ディスク媒体１０の所望のトラックに追従させるために、駆動回路（図示せず）からコイル部６に電流が供給され、レンズ保持部５およびそれに保持された集光レンズ４の位置が変化する。集光レンズ４の移動方向としては、光ディスク媒体１０の面ぶれ方向（フォーカス方向と称する）、光ディスク媒体１０の偏心方向（トラッキング方向と称する）、光ディスク媒体１０の回転方向（接線方向）を軸に傾斜する方向（チルティング方向と称する）がある。コイル巻き線およびコイル部６と磁石７とは、これらの方向への集光レンズ４の移動が可能なように設計されている。
【００４０】
コイル部６に通電されるとコイル部６から熱が発生する。図１および図２を参照して、このコイル部６から発生した熱がコリメートレンズ２へ伝導する様子を説明する。図２は、図１に示す矢印Ａの方向から見たコリメートレンズ２およびその周辺の構成要素を示す図である。
【００４１】
光ピックアップ装置１００では、熱伝導部材９はコリメートレンズ２とコイル部６との間に位置している。このため、コイル部６から発生した熱は熱伝導部材９内を伝導し、コリメートレンズ２へは直接伝導しない。コイル部６から発生した熱は、コリメートレンズ２の外周部に取り付けられた熱伝導部材９内を拡散してから接触部９ａを介してコリメートレンズ２へ伝わる。これにより、熱伝導部材９が取り付けられたコリメートレンズ２の外周部へ均一に熱が伝導するため、コリメートレンズ２への偏熱伝導を抑制することができる。コリメートレンズの局所的な変形を防止することができるので、光ピックアップ装置１００の光学収差の変動を抑制することができ、安定した記録再生動作を実現することができる。
【００４２】
また、コイル部６から発生した熱を、熱伝導部材９を介して光学ベース８へ拡散させることで、コリメートレンズ２への偏熱伝導の割合をさらに抑制することができる。
【００４３】
このように、熱伝導部材９は、コリメートレンズ２のコイル部６側に取り付けられているため、コリメートレンズ２への熱の影響を効率よく低減させることができる。
【００４４】
図３は、コイル部６への通電量を増加させていった場合の集光スポットの非点収差変動を示している。横軸は消費電力、縦軸は３次の非点収差の変動量である。コイル部６に通電すると熱が発生するが、熱伝導部材９によりコリメートレンズ２への偏熱伝導が抑制されているので、図９に示す従来例と比較して、３次の非点収差の変動量も大幅に小さくなっている。図３に示す例では、熱伝導部材９の厚さは０．１５ｍｍであり、コイル部６の定格消費電力０．３Ｗの通電状態で、３次の非点収差の変動量は−０．００３λであり、この変動量は非常に小さく、安定した記録再生動作の維持を実現することができる。
【００４５】
なお、図４に示すように、熱伝導部材９はコリメートレンズ２の外周部全体に設けられていてもよい。図４は、図１に示す矢印Ａの方向から見たコリメートレンズ２およびその周辺の構成要素を示す図である。図４に示すようにコリメートレンズ２の外周部全体に渡って熱伝導部材９を取り付けることで、外周部の一部のみに取り付ける場合と比較して、コリメートレンズ２へのより均一な熱伝導を実現することができる。
【００４６】
このように、光ピックアップ装置１００では、熱伝導部材９を用いて、コイル部６から発生した熱をコリメートレンズ２へ偏熱伝導させることなくコリメートレンズ２へ均一に伝導させることにより、コリメートレンズ２の局所的な変形を防止し、非点収差の変動量を抑制することができる。非点収差の変動量を抑制することで、安定した記録再生動作を実現することができる。また、コイル部６とコリメートレンズ２とを接近させて配置することが可能となるので、光ピックアップ装置１００の小型軽量化および薄型化を実現することができる。
【００４７】
また、熱伝導部材９を介して、コイル部６から発生した熱を光学ベース８へ拡散させることで、コリメートレンズ２への偏熱伝導の割合をさらに抑制することができる。
【００４８】
また、青色と呼ばれる中心波長４０５ｎｍのレーザ光を出力する光源１（図１）を用いる場合には、レーザ光の光学収差（特に球面収差）を非常に高精度に補正する必要がある。そのため、図５に示すように、光ピックアップ装置１００にコリメートレンズ２を摺動させる摺動部１２を備えて、コリメートレンズ２を光学収差が最適となるよう光軸方向に摺動させる場合がある。このように、コイル部６とコリメートレンズ２との相対位置が変化して両者が接近する場合でも、コリメートレンズ２の局所的な変形を防止し、非点収差の変動量を抑制することができる。
【００４９】
（実施形態２）
図６を参照して、本発明による光ピックアップ装置の第２の実施形態を説明する。図６は、本実施形態の光ピックアップ装置２００を模式的に示す図である。図６において、図１に示す光ピックアップ装置１００の構成要素と同様の構成要素には同じ参照符号を付し、詳細な説明は省略する。
【００５０】
光ピックアップ装置２００は、光ピックアップ装置１００の構成要素に加えて、光源１を駆動して発光させる光源駆動部１３と、光源駆動部１３を搭載したプリント基板またはフレキシブルプリント基板などの回路部１４とを備える。
【００５１】
光源駆動部１３は、制御回路（図示せず）からの指令を受けると光源１を発光させる。このとき、光源１を発光させるための電流が光源駆動部１３を流れ、光源駆動部１３から熱が発生する。
【００５２】
光ピックアップ装置２００では、熱伝導部材９の少なくとも一部は、コリメートレンズ２の光源駆動部１３側に設けられており、コリメートレンズ２と光源駆動部１３との間に位置している。このため、光源駆動部１３から発生した熱は熱伝導部材９内を伝導し、コリメートレンズ２へは直接伝導しない。光源駆動部１３から発生した熱は、コリメートレンズ２の外周部に取り付けられた熱伝導部材９内を拡散してからコリメートレンズ２へ伝わる。これにより、熱伝導部材９が取り付けられたコリメートレンズ２の外周部へ均一に熱が伝導するため、コリメートレンズ２への偏熱伝導を抑制することができる。コリメートレンズの局所的な変形を防止することができるので、光ピックアップ装置２００の光学収差の変動を抑制することができ、安定した記録再生動作を実現することができる。
【００５３】
なお、図４を参照して上述したように、熱伝導部材９はコリメートレンズ２の外周部全体に設けられていてもよい。図４に示すようにコリメートレンズ２の外周部全体に渡って熱伝導部材９を取り付けることで、外周部の一部のみに取り付ける場合と比較して、コリメートレンズ２へのより均一な熱伝導を実現することができる。
【００５４】
また、図５を参照して上述したように、摺動部１２がコリメートレンズ２を摺動させて、光源駆動部１３とコリメートレンズ２との相対位置が変化して両者が接近する場合でも、コリメートレンズ２の局所的な変形を防止し、非点収差の変動量を抑制することができる。
【００５５】
このように、光ピックアップ装置２００では、熱伝導部材９を用いて、光源駆動部１３から発生した熱をコリメートレンズ２へ偏熱伝導させることなく均一に伝導させることにより、コリメートレンズ２の局所的な変形を防止し、非点収差の変動量を抑制することができる。非点収差の変動量を抑制することで、安定した記録再生動作を実現することができる。また、光源駆動部１３とコリメートレンズ２とを接近させて配置することが可能となるので、光ピックアップ装置２００の小型軽量化および薄型化を実現することができる。
【００５６】
（実施形態３）
図７を参照して、本発明による光ディスク装置の実施形態を説明する。図７は、本実施形態の光ディスク装置４００を模式的に示す図である。光ディスク装置４００は、光ピックアップ装置３００を備える。光ピックアップ装置３００は、光ピックアップ装置１００および２００（図１および図６）の構成要素を備え、同様の作用効果を奏する。
【００５７】
光ピックアップ装置３００では、コイル部６と光源駆動部１３とはコリメートレンズ２から見て実質的に同じ方向に配置されている。このため、熱伝導部材９の少なくとも一部は、コリメートレンズ２のコイル部６側および光源駆動部１３側に設けられている。熱伝導部材９の少なくとも一部は、コリメートレンズ２とコイル部６との間に位置していると同時に、コリメートレンズ２と光源駆動部１３との間に位置している。
【００５８】
光ディスク装置４００は、光ディスク媒体１０に対してデータの光学的な記録および／または再生を行う装置である。光ディスク装置４００は、モーター５０と、駆動制御回路５１と、信号処理回路５２と、パワー制御回路５３と、光ディスク制御回路５４と、中央演算処理回路５５とを備える。
【００５９】
モーター５０は、光ディスク媒体１０を回転させる。駆動制御回路５１は、モーター５０、集光レンズ駆動部１１、光源駆動部１３および回路部１４の動作を制御する回路である。駆動制御回路５１は、集光レンズ駆動部１１に駆動電流を供給し、光ディスク媒体１０のフォーカス方向、トラッキング方向、チルティング方向に沿って集光スポットを追従させる。また、駆動制御回路５１は、光源１を発光させるため指令を光源駆動部１３へ出力する。
【００６０】
信号処理回路５２は、光検出器（図示せず）が出力したサーボ信号を二値化して演算処理を行う。パワー制御回路５３は、光源１の出力パワーをモニタするパワーモニタ部（図示せず）が出力した信号を受けて、光源１の出力パワーが適切な値となる電流を光源１へ供給するように光源駆動部１３を制御する。光ディスク制御回路５４は中央演算処理回路５５からの指令により、所望の光ディスク媒体１０に対して記録および／または再生動作を行うよう動作する。光ディスク制御回路５４は、駆動制御回路５１、信号処理回路５２、パワー制御回路５３の動作を制御する。
【００６１】
光ディスク装置４００は光ピックアップ装置３００を備えているので、実施形態１および２で説明した本発明の効果と同様の効果が得られる。上述したように、本発明により、光ピックアップ装置の小型軽量化および薄型化を実現することができるので、それに伴い、光ディスク装置の小型軽量化および薄型化を実現することができる。また、安定した記録再生動作を実行する光ディスク装置を実現することができる。
【００６２】
以上のように、本発明の好ましい実施形態を用いて本発明を例示してきたが、本発明は、これらの実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【産業上の利用可能性】
【００６３】
以上、説明したように、本発明の光ピックアップ装置および光ディスク装置は、光ディスク媒体へのデータの光学的な記録および／または再生を行うための技術分野において特に有用である。
【図面の簡単な説明】
【００６４】
【図１】本発明の実施形態１による光ピックアップ装置を示す図である。
【図２】本発明の実施形態１による光ピックアップ装置の一部を拡大して示す図である。
【図３】本発明の実施形態１によるコイル部への通電量と集光スポットの非点収差の変動量との関係を示す図である。
【図４】本発明の実施形態１による光ピックアップ装置の一部を拡大して示す図である。
【図５】本発明の実施形態１による光ピックアップ装置を示す図である。
【図６】本発明の実施形態２による光ピックアップ装置を示す図である。
【図７】本発明の実施形態３による光ディスク装置を示す図である。
【図８】従来の光ピックアップ装置を示す図である。
【図９】従来技術におけるコイル部への通電量と集光スポットの非点収差の変動量との関係を示す図である。
【符号の説明】
【００６５】
１  光源
２  コリメートレンズ
３  ミラー
４  集光レンズ
５  レンズ保持部
６  コイル部
７  磁石
８  光学ベース
９  熱伝導部材
１０  光ディスク媒体
１１  集光レンズ駆動部
１２  摺動部
１３  光源駆動部
１４  回路部
１００、２００、３００  光ピックアップ装置
４００  光ディスク装置
【図１】
2007234069.tif 000003
【図２】
2007234069.tif 000004
【図３】
2007234069.tif 000005
【図４】
2007234069.tif 000006
【図５】
2007234069.tif 000007
【図６】
2007234069.tif 000008
【図７】
2007234069.tif 000009
【図８】
2007234069.tif 000010
【図９】
2007234069.tif 000011